(57)【要約】【課題】    軒樋の集水機能を低下させず、また軒樋用収容具の形状を変形させることなく、軒樋内に落葉やゴミ、鳥の巣等の侵入を防ぐとともに、集水器内で異物を保持することで、竪樋への異物の侵入を防ぐことができ、さらには、強風等により軒樋用収容具が樋外に落脱することを防止できる軒樋用収容具を提供すること。【解決手段】  軒樋内に収容される軒樋用収容具であって、該軒樋用収容具は複数の繊維層を積層して形成されており、前記繊維層は、軒樋底面から軒樋上部の開口部に亘る軒樋内全体に収容されていることを特徴とする。  また前記繊維層は、密度の異なる高密度繊維層と低密度繊維層とを組み合わせて形成されており、上面層が高密度繊維にて、下面層が低密度繊維層にて形成されている。  さらに、前記軒樋用収容具を竪樋上部の集水器や鎖等での雨水落ち下の集水桝やＵ字溝内に収容させた。【選択図】図１
2014136958.tif 000002
【特許請求の範囲】
【請求項１】
軒樋内に収容される軒樋用収容具であって、該軒樋用収容具は複数の繊維層を積層して形成されており、前記繊維層は、軒樋底面から軒樋上部の開口部に亘る軒樋内全体に収容されていることを特徴とする軒樋用収容具。
【請求項２】
前記繊維層は、密度の異なる高密度繊維層と低密度繊維層とを組み合わせて形成されている請求項１記載の軒樋用収容具。
【請求項３】
前記繊維層は、上面層が高密度繊維にて、下面層が低密度繊維層にて形成されている請求項２記載の軒樋用収容具。
【請求項４】
前記高密度繊維は、ニードルパンチ形状のハードマットである請求項３記載の軒樋用収容具。
【請求項５】
前記低密度繊維は、スプリング状のカールマットである請求項３記載の軒樋用収容具。
【請求項６】
前記繊維層は、天然繊維または／および合成繊維にて形成されている請求項１乃至５のうちいずれか１項に記載の軒樋用収容具。
【請求項７】
前記軒樋用収容具の上部に、繊維層の落脱を防ぐ保持具を装着した請求項１乃至６のうちいずれか１項に記載の軒樋用収容具。
【請求項８】
前記軒樋の内部に、軒樋の底部に空間を形成するための通水部材を装着した請求項１乃至６のうちいずれか１項に記載の軒樋用収容具。
【請求項９】
前記通水部材を軒樋の内部に着脱自在に収容させた請求項８記載の軒樋用収容具。
【請求項１０】
前記軒樋用収容具を竪樋上部の集水器に収容させた請求項１乃至６のうちいずれか１項に記載の軒樋用収容具。
【請求項１１】
前記軒樋用収容具を集水桝やＵ字溝内に収容させた請求項１乃至６のうちいずれか１項に記載の軒樋用収容具。
【発明の詳細な説明】
【技術分野】
【０００１】  本発明は、軒樋の集水機能を低下させることなく、軒樋内に落葉やゴミ、鳥の巣等の侵入を防ぐとともに、集水器内の異物を保持することで、竪樋への異物の侵入を防ぐことができる軒樋用収容具に関する。
【背景技術】
【０００２】  一般家屋の屋根の軒下には、屋根からの雨水を集めて地面に流す軒樋が設置されている。通常の軒樋は、金属や樹脂の素材からなり、一般家屋用の断面半丸形状の半丸軒樋や、工業用の断面角形状の角樋等がある。また軒樋の雨水を下方に排水させるため、軒樋には竪樋が連結されており、軒樋と竪樋との連結部分には集水器が装着されている。【０００３】  しかし、軒樋や集水器内には落葉やゴミ、また鳥の巣等が侵入し、軒樋が劣化したり破損したりするという問題が生じ、正しい集排水ができなくなることがあった。【０００４】  これらの問題を解消すべく、従来技術として、強風時に飛来し軒樋へ侵入する落葉を無くす雨樋の落葉除避け具がある（例えば、特許文献１参照）。
上掲特許文献１の雨樋は、中空に形成した網目状の棒状体を軒樋に嵌入し、上面から押止バンドで固定することを特徴としている。【０００５】  また、樋本体に落葉やゴミが入り込むことを防止する雨樋がある（例えば、特許文献２参照）。
上掲特許文献２の雨樋は、屋根から流れ落ちる雨水を受ける開口面が網で形成されていることを特徴としている。【０００６】  また、雨樋へ容易に装着できる雨樋内への異物侵入防止材を提供することを目的とし、枯葉等の異物が雨樋内に滞留することがなく、晴天になればそのまま風によって飛散してしまい、雨水はそのままこの防止材中を容易に透過する雨樋内への異物侵入防止材がある（例えば、特許文献３参照）。
上掲特許文献３の雨樋内への異物侵入防止材は、連通気泡性の樹脂フォーム或いは繊維マトリックスにて形成されており、側面が雨樋の内側面に嵌め込み可能な形状となし、した面が雨樋面と間隔をもつ形状として、雨樋の長手方向に嵌め込まれたことを特徴とする。【０００７】  しかしながら、上掲特許文献１および２の先行技術は、施工が複雑になるとともに、コスト高に繋がるという問題が生じた。また網目を抜け落ちる小片状のゴミが樋内に堆積し、軒樋が劣化したり破損したりするという問題が残った。【０００８】  また特許文献３の雨樋への異物侵入防止材においては、下面が雨樋面と間隔をもつ形状としており雨水の滞留を防止できるが、防止材が連通気泡性の樹脂フォーム或いは繊維マトリックスにて構成されているため、大きさの異なる小片状のゴミが体積した場合、それらの異物の侵入をより効率よく防ぐことはできなかった。また経時において、防止材の流路が変形（潰れる）してゴミ堆積の空間を作り防止材の乾燥性を悪くし、落葉は風で飛ばず残り、粉塵等の溜まりを起こし本来の機能が低下するという問題も残った。【０００９】  そこで、本出願人等が鋭意研究した結果、上記した従来技術の問題点を解消し、施工が簡単で低コストに製作でき、軒樋の集水機能を低下させることなく、軒樋内に落ち葉やゴミ、鳥の巣等の侵入を防ぐことができ、さらには集水器から竪樋内に浸入する異物も排除することができる軒樋用収容具を開発した（例えば、特許文献４参照）。
上掲特許文献４の軒樋用収容具は、軒樋内に収容される軒樋用収容具であって、該軒樋用収容具は、軒樋底面から軒樋上部の開口部に亘る軒樋内全体に収容されていることを特徴とする。
【先行技術文献】
【特許文献】
【００１０】
【特許文献１】特開平１０−１８３９００号公報（特許請求の範囲等）
【特許文献２】実用新案登録第３０３３６８２号公報（実用新案登録請求の範囲等）
【特許文献３】特開２００５−２５６４１２号公報（特許請求の範囲等）
【特許文献４】特開２０１１−５８３４７号公報（特許請求の範囲等）
【発明の概要】
【発明が解決しようとする課題】
【００１１】  特許文献４の軒樋用収容具は、軒樋の集水機能を低下させることなく、軒樋内に落葉やゴミ、鳥の巣等の侵入を防ぐことができ、さらには集水枡から竪樋内に侵入する異物も排除することができるという特徴を有するが、一方で、軒樋の底部における流水性が低下するという問題が残った。また強風等により、軒樋用収容具が樋外に落脱するという欠点もあった。【００１２】  そこで本発明は、軒樋の集水機能を低下させず、また軒樋用収容具の形状を変形させることなく、軒樋内に落葉やゴミ、鳥の巣等の侵入を防ぐとともに、集水器内で異物を保持することで、竪樋への異物の侵入を防ぐことができ、さらには、強風等により軒樋用収容具が樋外に落脱することを防止できる軒樋用収容具を提供することにある。
【課題を解決するための手段】
【００１３】  上記課題を解決するために、軒樋内に収容される軒樋用収容具であって、該軒樋用収容具は複数の繊維層を積層して形成されており、前記繊維層は、軒樋底面から軒樋上部の開口部に亘る軒樋内全体に収容されていることを特徴とする。【００１４】  また前記繊維層は、密度の異なる高密度繊維層と低密度繊維層とを組み合わせて形成さ  れている。【００１５】  また前記繊維層は、上面層が高密度繊維にて、下面層が低密度繊維層にて形成されている。【００１６】  また、前記高密度繊維はニードルパンチ形状のハードマットである。【００１７】  また、前記低密度繊維はスプリング状のカールマットである。【００１８】  また、前記繊維層は天然繊維または／および合成繊維にて形成されている。【００１９】  また、前記軒樋用具の上部に繊維層の落脱を防ぐ保持具を装着した。【００２０】  また、前記軒樋の内部に軒樋の底部に空間を形成するための通水部材を装着した。【００２１】  また、前記通水部材を軒樋の内部に着脱自在に収容させた。【００２２】  さらに、前記軒樋用収容具を竪樋上部の集水器に収容させた。【００２３】  またさらに、前記軒樋用収容具を集水桝やＵ字溝内に収容させた。
【発明の効果】
【００２４】  複数の繊維層を積層して形成されており、前記繊維層は、軒樋底面から軒樋上部の開口部に亘る軒樋内全体に収容されていることにより、軒樋の集水機能を低下させず、また軒樋用収容具の形状を変形させることなく、軒樋内に落葉やゴミ、鳥の巣等の侵入を防ぐことができる。【００２５】  また、前記軒樋用具の上部に繊維層の落脱を防ぐ保持具を装着したことで、強風による繊維層の落下を防ぐことができる。【００２６】  さらに、本発明の軒樋用収容具における前記繊維層は、軒樋底面から軒樋上部の開口部に亘る軒樋内全体に収容されていることにより、軒樋内に水溜りを作ることがなく、ボウフラの住処を減らし蚊の発生を防ぐことができる。
【図面の簡単な説明】
【００２７】
【図１】本発明の軒樋用収容具の使用状態の全体斜視図である。
【図２】前記軒樋用収容具の断面図である。
【図３】他の好適例、軒樋用収容具の断面図である。
【図４】他の好適例、軒樋用収容具の断面図である。
【図５】集器枡内に軒樋用収容具を収容させた状態の断面図である。
【図６】Ｕ字溝内に軒樋用収容具を収容させた状態の断面図である。
【発明を実施するための最良の手段】
【００２８】  本発明の軒樋用収容具は、軒樋の集水機能を低下させず、また軒樋用収容具の形状を変形させることなく、軒樋内に落葉やゴミ、鳥の巣等の侵入を防ぐとともに、集水器内で異物を保持することで、竪樋への異物の侵入を防ぐことができ、さらには、強風等により軒樋用収容具が樋外に落脱することを防止できることを特徴とするものである。
以下、本発明における軒樋用収容具の実施の形態を図面に基づき説明する。
【００２９】  図示する軒樋用収容具１は、軒下に配設される軒樋１０内に収容されるもので、特に、前記軒樋用収容具１は、複数の繊維層２を積層して形成されている。前記繊維層２は、軒樋の底面部１１、中間部１２、上部の開口部１３に亘る軒樋１０内全体に収容されていることを特徴とする。なお、中間部１２および底面部１１に積層される低密度繊維層は、図示する３層に限定されるものではなく、作業面やコスト面を考慮して、積層枚数を適宜変更することができる。
【００３０】  また前記軒樋用収容具１は、軒樋１０内に収容させる際、繊維層２を一連に途切れることなく収容したり、長尺状の繊維層２を長手方向に複数接続したりして収容させることができる。
【００３１】  また特に、本発明の軒樋用収容具１における繊維層２は、密度の異なる高密度繊維層と低密度繊維層とを組み合わせて形成されている。前記軒樋１０内の上部の開口部（最上部）１３には高密度の繊維からなる高密度繊維３が、軒樋１０内の中間部（形状維持部）１２および底面部（流水部）１１には低密度繊維層４、５、６が積層されている。
【００３２】  開口部１３に積層される高密度繊維層３は、ニードルパンチ形状のハードマットからなる。前記高密度繊維層３は、レーヨン繊維、ナイロン繊維、ポリプロピレン繊維、ポリエステル繊維等からなり、それらの素材を単一で、もしくは二種類以上の組み合わせた合成繊維の不織布又はそれらに類した自然素材からなる。
【００３３】  また前記高密度繊維層３は、高密度であり且つやや肉厚状のハードマットからなるため、雨水等の浸水性が得られるとともに、高密度繊維層３の上面に落ち葉やゴミ、鳥の巣等を保持することができ、それらが軒樋内に侵入することを防ぐ分別用の繊維層である。
【００３４】  中間部１２および底面部１１に積層される低密度繊維層４、５、６は、スプリング状のカールマットからなる。また低密度繊維層は、浸水性や通気性に優れ、さらに高い緩衝生を発揮する。
【００３５】  前記低密度繊維層４、５、６は、スプリング状にカール加工されたカールマットで、ポリ塩化ビニリデン（ＰＶＤＣ）系等の合成繊維からなり、全体が粗い低密度で優れた透水性と高い柔軟性を有する。そのため、さまざまな形状の軒樋内に収容させることができる。さらに、軒樋に雪等による圧力が加わっても、低密度繊維層の緩衝性により軒樋用収容具１全体が沈まず、安定した排水が確保できる。
【００３６】  なお、前記高密度繊維層３と低密度繊維層４、５、６は、上述の素材に限定されるものではなく、シュロ等の天然繊維、化学繊維、若しくは天然繊維と化学繊維の合成繊維等、繊維状であれば如何なる素材で形成することができる。
【００３７】  また他の好適例として、図１に示すように、前記軒樋用収容具１の上部に保持具１４を装着した。保持具１４は、例えば銅線やステンレス線からなり、上吊り樋受け器具１６等を利用して軒樋用収容具１の上部に配設される。前記軒樋用具１の上部に保持具１４を装着したことで、強風による繊維層２の脱落を防ぐことができる。
【００３８】  また他の好適例として、図３に示すように、前記軒樋１０の内部に軒樋１０の底部に空間ａを形成するための通水部材１５を装着した。通水部材１５は複数の小孔１７を有しており、軒樋１０の略中央部分に一体的に形成されている。通水部材１５を備えることにより、軒樋１０の底部に空間部ａを形成することができ、繊維層２で分別された雨水を効率よく流水させることができる。これは、上層部が今までの軒樋であり、小孔１７により空間ａへ軒樋１０で集められた雨水を、横方向に流すゴミの入りにくい状態とする水専用の横水路（空間部ａ）である。また、工場等に設置されている大型の軒樋においては、収容させる繊維層の量を減らすことができてコスト削減が実現できる。
【００３９】  また他の好適例として、図４に示すように、通水部材１５を軒樋１０の内部に着脱自在に収容させた。着脱自在に形成された通水部材１５´は塩化ビニール等の素材で形成されており、軒樋１０の底部の形状に沿った筒状の形状を呈している。また通水部材１５´の上部には複数の小孔１７が穿孔されている。通水部材１５および通水部材１５´を備えることにより、軒樋１０の底部に空間部ａを形成して安定した排水が確保できるとともに、経時における軒樋用収容具１の変形を防ぐことができる。
【００４０】  また他の好適例として、図５に示すように、前記軒樋用収容具１を竪樋２１上部の集水器２０に収容させた。前記軒樋用収容具１は繊維層を複数積層してもよいが、高密度のハードマットを用いることがこのましい。また前記軒樋用収容具１は、集水器２０の底面および側面の隙間に配設されている。集水器２０の底面および側面の隙間に軒樋用収容具１を配設することにより、集水器２０内で異物を保持することができ、竪樋２１への異物の侵入を防ぐことができる。
【００４１】  また他の好適例として、図６に示すように、本発明の軒樋用収容具１をＵ字溝３０内に収容させてもよい。前記Ｕ字溝３０内や集水桝（図示せず）内の上部には高密度繊維が、前記Ｕ字溝３０内や集水桝の中間部および底面部には低密度繊維層が積層されている。Ｕ字溝３０内や集水桝内に軒樋用収容具１を収容させることにより、軒樋を介さず屋根より直接地面に落下する雨水をＵ字溝３０内で分別することができ、雨水の再利用に優れた効果を発揮することができる。
【符号の説明】
【００４２】１    軒樋用収容具
２    繊維層
３    高密度繊維層
４    低密度繊維層
５    低密度繊維層
６    低密度繊維層
１０  軒樋
１１  底面部
１２  中間部
１３  開口部
１４  保持具
１５  通水部材
１５´通水部材
１６  上吊り樋受け器具
１７  小孔
２０  集水器
２１  竪樋
３０  Ｕ字溝
ａ    空間部
【図１】
2014136958.tif 000003
【図２】
2014136958.tif 000004
【図３】
2014136958.tif 000005
【図４】
2014136958.tif 000006
【図５】
2014136958.tif 000007
【図６】
2014136958.tif 000008